(57)【要約】      （修正有）【課題】軽量化・使用感が向上したランドセル型かばんを提供する。【解決手段】教科書等を収納するランドセル本体収容部を含むランドセル本体と本体を覆うかぶせ蓋２を軽量かつ撥水性を備えた合成樹脂製生地を使用して構成し、使用者の身体に当たる収容部背面、肩ベルト内側部分を通気性、クッション性に優れた合成樹脂製メッシュ生地を用いて構成する。また、一方の収容部側面にかばんを使用中であっても高さのあるものを出し入れ可能なサイドポケットを設けるとともに、他方の収容部側面にも同様に使用中に物の出し入れが可能なファスナー付きサイドポケット２０を設ける。【選択図】図３
0003220959.tif 000002
【実用新案登録請求の範囲】
【請求項１】
ランドセル本体▲１▼と該本体を覆うかぶせ蓋▲２▼を合成樹脂製生地で構成するとともに、少なくとも前記ランドセル本体▲１▼と肩ベルト▲１８▼の使用者の身体に当たる部分を合成樹脂製メッシュ生地で構成したことを特徴とするランドセル型かばん。
【請求項２】
前記肩ベルト▲１８▼は、使用者の身体に沿う３Ｄカーブで形成され、その内側部▲２４▼は合成樹脂製生地で通気性とクッション性を有するメッシュ素材で構成し、外側部▲２３▼は撥水性を有する強撚糸を使用した合成樹脂製生地で構成したことを特徴とする請求項１記載のランドセル型かばん。
【請求項３】
前記ランドセル本体▲１▼の物品を収納する収容部▲６▼の開口部を覆うかぶせ蓋▲２▼の下部位置に該かぶせ蓋▲２▼を開閉するためのひねり錠▲７▼を２つ配置したことを特徴とする請求項１記載のランドセル型かばん。
【請求項４】
前記収容部▲６▼の上部両サイドに、撥水性を有する合成樹脂製生地からなる舌上の生地片▲１０▼を取り付けたことを特徴とする請求項１記載のランドセル型かばん。
【請求項５】
前記肩ベルト▲１８▼の外側面に、胸バックルベルト▲２７▼の上下への可動域を制限する胸バックル可動域テープ▲２９▼を取り付け、前記胸バックルベルト▲２７▼を該胸バックル可動域テープ▲２９▼を通して使用者の胸前の位置で着脱できるようにしたことを特徴とする請求項１記載のランドセル型かばん。
【請求項６】
前記ランドセル本体▲１▼の背面部▲２１▼が全面ラッセル編みの網目のひらいた通気性を有する合成樹脂製生地のメッシュ素材からなり、かつ該背面部▲２１▼にステッチ▲２２▼を入れたことを特徴とする請求項１記載のランドセル型かばん。
【請求項７】
前記収容部▲６▼の外側面に、水筒や折りたたみ傘が収納できる高さをもつ側面ポケット▲１２▼を設けたことを特徴とする請求項１記載のランドセル型かばん。
【請求項８】
前記かぶせ蓋▲２▼、前記肩ベルト▲１８▼、前記側面ポケット▲１２▼に反射材▲８▼、▲３１▼、▲１３▼を取り付けたことを特徴とする請求項７記載のランドセル型かばん。
【請求項９】
前記ランドセル本体▲１▼の側面部に、使用者がランドセルを背負ったまま収納品の出し入れができ、かつファスナー▲１９▼で開閉する側面ポケット▲２０▼を設けたことを特徴とする請求項１記載のランドセル型かばん。
【請求項１０】
前記ランドセル本体▲１▼が合成樹脂製生地で、かつ内側に樹脂製の柔軟性がある芯材を有する部材で構成されていることを特徴とする請求項１記載のランドセル型かばん。
【請求項１１】
前記肩ベルト▲１８▼の下部に樹脂製テープ▲２５▼を接合するとともに、該肩ベルト▲１８▼の長さ調節用バックル▲２６▼を配し、該長さ調節用バックル▲２６▼によって前記肩ベルト▲１８▼の長さを調整可能としたことを特徴とする請求項１記載のランドセル型かばん。
【考案の詳細な説明】
【技術分野】
【０００１】  この考案は主に小学生児童が使用するランドセル型かばんに関するものである。
【背景技術】
【０００２】  従来、小学生児童等が通学用に使用するランドセル型かばんはランドセル本体、かぶせ蓋、肩ベルト等の全ての部分が皮革又は人工皮革を使用して構成されている。
【考案の概要】
【考案が解決しようとする課題】
【０００３】  上述した従来のランドセル型かばんは皮革又は人工皮革を使用しているため、使用対象である小学生児童にとっては、非常に重く、また通気性も悪い。また同じく皮革又は人工皮革で構成された堅い肩ベルトは使用者の肩に食い込み、使用中の痛みや体への負担は非常に大きなものとなっていた。また、かばんを背中に背負った使用中には物の出し入れが困難であるなどの問題があった。
本考案は、このような従来のランドセル型かばんが有する問題点を解決し、かばんを構成する素材を工夫することにより、軽量化・使用感が向上したランドセル型かばんを提供することを目的とする。
【課題を解決するための手段】
【０００４】  本考案のランドセル型かばんは、ランドセル本体▲１▼と該本体を覆うかぶせ蓋▲２▼を合成樹脂製生地で構成するとともに、少なくとも前記ランドセル本体▲１▼と肩ベルト▲１８▼の使用者の身体に当たる部分を合成樹脂製メッシュ生地で構成したことを特徴とする。【０００５】  請求項２に係るランドセル型かばんは、前記肩ベルト▲１８▼が使用者の身体に沿う３Ｄカーブで形成され、その内側部▲２４▼が合成樹脂製生地で通気性とクッション性を有するメッシュ素材で構成され、外側部▲２３▼が撥水性を有する強撚糸を使用した合成樹脂製生地で構成されていることを特徴とする。【０００６】  請求項３に係るランドセル型かばんは、前記ランドセル本体▲１▼の物品を収納する収容部▲６▼の開口部を覆うかぶせ蓋▲２▼の下部位置に該かぶせ蓋▲２▼を開閉するためのひねり錠▲７▼を２つ配置したことを特徴とする。【０００７】  請求項４に係るランドセル型かばんは、前記収容部▲６▼の上部両サイドに、撥水性を有する合成樹脂製生地からなる舌上の生地片▲１０▼を取り付けたことを特徴とする。【０００８】  請求項５に係るランドセル型かばんは、前記肩ベルト▲１８▼の外側面に、胸バックルベルト▲２７▼の上下への可動域を制限する胸バックル可動域テープ▲２９▼を取り付け、前記胸バックルベルト▲２７▼を該胸バックル可動域テープ▲２９▼を通して使用者の胸前の位置で着脱できるようにしたことを特徴とする。【０００９】  請求項６に係るランドセル型かばんは、前記ランドセル本体▲１▼の背面部▲２１▼が全面ラッセル編みの網目のひらいた通気性を有する合成樹脂製生地のメッシュ素材からなり、かつ該背面部▲２１▼にステッチ▲２２▼を入れたことを特徴とする。【００１０】  請求項７に係るランドセル型かばんは、前記収容部▲６▼の外側面に、水筒や折りたたみ傘が収納できる高さをもつ側面ポケット▲１２▼を設けたことを特徴とする。【００１１】  請求項８に係るランドセル型かばんは、前記かぶせ蓋▲２▼、前記肩ベルト▲１８▼、前記側面ポケット▲１２▼に反射材▲８▼、▲３１▼、▲１３▼を取り付けたことを特徴とする。【００１２】  請求項９に係るランドセル型かばんは、前記ランドセル本体▲１▼の側面部に、使用者がランドセルを背負ったまま収納品の出し入れができ、かつファスナー▲１９▼で開閉する側面ポケット▲２０▼を設けたことを特徴とする。【００１３】  請求項１０に係るランドセル型かばんは、前記ランドセル本体▲１▼が合成樹脂製生地で、かつ内側に樹脂製の柔軟性がある芯材を有する部材で構成されていることを特徴とする。【００１４】  請求項１１に係るランドセル型かばんは、前記肩ベルト▲１８▼の下部に樹脂製テープ▲２５▼を接合するとともに、該肩ベルト▲１８▼の長さ調節用バックル▲２６▼を配し、該長さ調節用バックル▲２６▼によって前記肩ベルト▲１８▼の長さを調整可能としたことを特徴とする。
【考案の効果】
【００１５】  請求項１記載の考案によれば、ランドセル本体▲１▼と該本体を覆うかぶせ型蓋▲２▼を合成樹脂製生地を用いて構成し、かつ少なくともランドセル本体▲１▼と肩ベルト▲１８▼の使用者の身体に当たる部分を合成樹脂製メッシュ生地を用いて構成したことにより、軽量かつ通気性の改善を図ることができ、且つ使用者の負担を軽減することができる。【００１６】  請求項２記載の考案によれば、肩ベルト▲１８▼を使用者の身体に沿う３Ｄカーブで形成し、その内側部▲２４▼を合成樹脂製生地で通気性とクッション性を有するメッシュ素材で構成するとともに、外側部▲２３▼を撥水性を有する強撚糸を使用した合成樹脂製生地で構成したことにより、荷重による使用者身体への負担を軽減し、さらに使用時の暑さと蒸れ、痛みを軽減することができる。かつ雨天時にも対応できる。【００１７】  請求項３記載の考案によれば、ランドセル本体収容部▲６▼の開口部を覆うかぶせ蓋▲２▼の下部位置に児童でも開閉しやすい機能を有するひねり錠▲７▼を２つ配置したことをことにより、児童でもかぶせ蓋▲２▼の開閉が容易になる。【００１８】  請求項４記載の考案によれば、ランドセル本体収容部▲６▼の上部両サイドに、撥水性を有する合成樹脂製生地からなる舌上の生地片▲１０▼を取り付けたことにより、雨天時の収容部▲６▼への雨水の侵入を防ぐことができる。【００１９】  請求項５記載の考案によれば、肩ベルト▲１８▼の外側面に胸バックルベルト▲２７▼の上下への可動域を制限する胸バックル可動域テープ▲２９▼を取り付け、胸バックルベルト▲２７▼を該胸バックル可動域テープ▲２９▼に通して使用者の胸前の位置で着脱できるようにしたことで、使用者の荷重による負担を軽減し、且つ肩ベルト▲１８▼がずれることなく通学時の負担を軽減することができる。【００２０】  請求項６記載の考案によれば、ランドセル本体▲１▼の背面部▲２１▼が全面ラッセル編みの網目のひらいた通気性に優れた合成樹脂製生地のメッシュ素材からなり、かつ該背面部▲２１▼にステッチ▲２２▼を入れたことにより、通気性とクッション性を確保し、使用者の体への負担を軽減することができる。【００２１】  請求項７記載の考案によれば、ランドセル本体収容部▲６▼の外側面に、水筒や折りたたみ傘が収納できる高さをもつ側面ポケット▲１２▼を設けたことにより、通学時、かばんを背負った状態でも必要なものの出し入れが可能とすることができる。【００２２】  請求項８記載の考案によれば、前記かぶせ蓋▲２▼、前記肩ベルト▲１８▼、前記側面ポケット▲１２▼に反射材▲８▼、▲３１▼、▲１３▼を取り付けたため、３６０度全方位から児童等の使用者の存在を認識でき、交通事故等の面から安全性が向上する。【００２３】  請求項９記載の考案によれば、ランドセル本体▲１▼の側面部に、使用者がランドセルを背負ったまま収納品の出し入れができ、かつファスナー▲１９▼で開閉する側面ポケット▲２０▼を設けたことにより、かばんを背負ったまま鍵やキッズケータイ、ハンカチ、絆創膏などの貴重品や細かいものの出し入れも可能とすることができる。【００２４】  請求項１０記載の考案によれば、ランドセル本体収容部▲６▼を、合成樹脂製生地���、かつ内側に樹脂製の柔軟性のある芯材を有する部材で構成するようにしたことにより、収納量を増加させることができる。【００２５】  請求項１１記載の考案によれば、また、肩ベルト▲１８▼の下部に樹脂製テープ▲２５▼を接合するとともに、かつ肩ベルト▲１８▼の長さ調節用バックル▲２６▼を配して肩ベルト▲１８▼の長さ調整可能としたことにより、身体の大きさに合わせて肩ベルト▲１８▼の長さの微調整が可能となって荷重の負担を軽減することができる。
【図面の簡単な説明】
【００２６】
【図１】本考案によるランドセル型かばんの一実施例を示す正面図である。
【図２】上記実施例のかぶせ蓋を開けたランドセル型かばんの状態を示す正面斜視図である。
【図３】上記実施例のランドセル型かばんの背面を示す背面斜視図である。
【図４】上記実施例のランドセル型かばんの収容部に付属したファスナーポケットの部分を拡大して示す図である。
【図５】図３に示した肩ベルト表（前面）部分の拡大図である。
【考案を実施するための形態】
【００２７】  以下、本考案の実施形態を図面に基づいて説明する。
【００２８】  図１、図２、図３において、教科書等持ち物を収納するランドセル本体▲１▼を覆うかぶせ蓋▲２▼は、撥水加工の施されたナイロン製生地の表地▲３▼とナイロン製生地の裏地▲４▼とがメッシュクロス０．８ｍｍの芯材を挟んで本革製バイアステープ▲５▼と共に逢着されて構成されている。このような生地、芯材を使用することにより、耐久性を維持しつつかばんの軽量化を図ることができる。かぶせ蓋▲２▼の基端部▲２▼−ｂはランドセル本体収容部▲６▼の背面側の上端に逢着されている（図３）。かぶせ蓋▲２▼下部の両サイドにひねり錠▲７▼が左右２箇所設けられている。このひねり錠▲７▼がかばん本体正面に位置する為、低学年児童でも開けやすく、かつ手が届きやすい。また、かぶせ蓋▲２▼の自由端である▲２▼−ａにはテープ状の前面反射材▲８▼が逢着して形成してある。このかぶせ蓋▲２▼は、外側ナイロン製生地と内側ナイロン製生地との間に芯材▲１７▼として厚さ８ｍｍの発砲ポリエチレンシート（フォームエース）が入った底板▲９▼に届く様に形成されている。
【００２９】  また、かぶせ蓋▲２▼の先端部▲２▼−ａを上方に持ち上げると、図２に示すように収容部▲６▼の上方に設けた開口部が現れるように構成されている。
収容部▲６▼には教科書や学校に持参する教材を入れて使用するものである。この収容部▲６▼の開口部とかぶせ蓋▲２▼との隙間から該収容部▲６▼への雨等の侵入を防ぐ目的で、撥水加工を施したナイロン製生地からなる２つの舌状内蓋▲１０▼を左右の収容部側面板▲６▼−ａ、▲６▼−ｂそれぞれの上端に逢着にて形成されている。これにより、雨天時の収容部▲６▼への雨の侵入を防ぐことができる。
【００３０】  収容部▲６▼の内側前面部▲６▼−ｃにはナイロン製生地によるプリント用紙等を収納する内ポケット▲１１▼が逢着により構成されており、かばん内でプリント用紙類が行方不明になったり曲がったりすることを防ぐことができる。
【００３１】  図２に示すように、収容部▲６▼の収容部側面板▲６▼−ａの表側（外側）にはサイドポケット▲１２▼が構成されている。このサイドポケット▲１２▼は、上端部に本革製のバイアステープ▲５▼−ａと共にサイドポケット反射材▲１３▼が逢着して形成してある。また、サイドポケット▲１２▼は水筒や折り畳み傘を差し込むことが可能な高さ（例えば１７ｃｍ）で構成されている。またサイドポケット▲１２▼下部にはブランドネーム▲１４▼が逢着されている。
【００３２】  さらに収容部▲６▼の収容部前面板▲６▼−ｃの表面（外面）には上部開口部にファスナーを設けた内側ファスナーポケット▲１５▼が逢着により構成されている。ファスナーポケット▲１５▼の右側下部には本革のバイアスで囲まれたネームポケット▲１６▼が設けられている。このネームポケット▲１６▼は、本革で囲まれた枠の中にある透明のビニールまたは合成樹脂材で形成した表面板と、この収容部前面板▲６▼−ｃとの間に名前を書いた用紙をいれることができる。
【００３３】  ランドセル本体▲１▼としての収容部▲６▼を構成する収容部側面板▲６▼−ａ，ｂ，収容部前面板▲６▼−ｃ，収容部背面板▲６▼−ｄは、それぞれ柔軟性、可撓性を有する外側ナイロン製生地と内側ナイロン製生地との間に、芯材▲１７▼として柔軟性、可撓性を有する厚さ８ｍｍ程度の発砲ポリエチレンシート（フォームエース）が入っており、これら収容部側面板▲６▼−ａ，ｂ，収容部前面板▲６▼−ｃ、収容部背面板▲６▼−ｄが底板▲９▼とともに図示のように逢着されて、収容部▲６▼を構成している。これらの収容部側面板▲６▼−ａ，ｂ，収容部前面板▲６▼−ｃ，収容部背面板▲６▼−ｄは、形状を保ちつつ、軽量かつフレキシブルに形状を形成できるため、従来のランドセル型かばんでは収納できなかった幅のあるものや、量も収納することができる。
【００３４】  図３において、２本の肩ベルト▲１８▼は、柔軟性、可撓性を有するナイロン製生地からなり、使用者の身体に沿うように三次元の３Ｄカーブで形成され、それぞれかぶせ蓋▲２▼の基端部▲２▼−ｂに逢着されている。また、このかぶせ蓋▲２▼の基端部▲２▼−ｂには、ナイロン製生地からなる持ち手▲３５▼が逢着されている。
【００３５】  収容部側面板▲６▼−ｂにはリング状の引手を有する側面ポケットファスナー▲１９▼が設けられており、引手を上部から下側に引き下ろすことによって側面ポケット▲２０▼が開口する。この側面ポケット▲２０▼はかばんを背負いながら開閉できるため、ハンカチ、絆創膏やキッズケータイ、鍵なども収納することができる。
【００３６】  図３に示すように、ランドセル本体外側背面部▲２１▼は全面ダブルラッセル織りの網目状の網目のひらいた通気性を有するポリエステル製メッシュ生地となっており、通気性とクッション性に優れるだけでなく、ステッチ▲２２▼を施したことにより、さらに使用者の背中との間の通気性を確保し、使用者の背中の蒸れ・暑さを軽減することができる。
【００３７】  ２本の肩ベルト▲１８▼は、それぞれ芯材を間に挟んで、外側（表側）部▲２３▼の撥水加工を施した強撚糸を使用したナイロン製生地と、内側（裏側）部▲２４▼のポリエステル製メッシュ生地とからなり、逢着により構成されている。肩ベルト▲１８▼の内側部▲２４▼をメッシュ生地としたことにより、上述したと同様に通気性とクッション性が向上する。各肩ベルト▲１８▼の下部先端には長さ調節用テープ▲２５▼が接合されており、長さ調節バックル▲２６▼を通した該テープ▲２５▼を引くと使用者の体格に合わせて肩ベルト▲１８▼の長さを調整することができる。これにより、使用者の体格に沿い、使用者の体にかばんを密着させることができ、かばんの荷重による使用者の体への負担を軽減することができる。
【００３８】  かばん本体▲１▼の外側背面部▲２１▼には、図３に示すように、一対の胸バックルベルト▲２７▼それぞれの一端が逢着されている。この一対の胸バックルベルト▲２７▼それぞれの他端には胸バックル▲２８▼のオス側片、メス側片が取り付けられている。
２本の肩ベルト▲１８▼の外側▲２７▼の下側ほぼ半分のところには、胸バックルベルト▲２７▼の可動域を制限する胸バックル可動域テープ▲２９▼▲３０▼が逢着によって接合されている。一対の胸バックルベルト▲２７▼は、それぞれ各肩ベルト▲１８▼と胸バックル可動域テープ▲２９▼▲３０▼の間に挿入され、使用者の前側（胸前）で胸バックル▲２８▼に結合されるようになっている。
この胸バックル可動域テープ▲２９▼▲３０▼は、胸バックルベルト▲２７▼の可動範囲ａ−ｂ（図５）を有することにより、ａ−ｂ間の範囲Ｘにわたって胸バックルベルト▲２７▼を移動することができるため、使用者に合わせた最適な位置に胸バックルベルト▲２７▼を配することが可能となる。また、その可動範囲がａ−ｂ間のｘに制限されることにより、胸バックルベルト▲２７▼の落下の恐れや、不要な位置への移動が防止される。
また、胸バックル可動域テープ▲２９▼▲３０▼に肩ベルト反射材▲３１▼が取り付けられていて、夜間の前面からの光に反射する。胸バックル可動域テープ▲３０▼の上端には防犯ブザーを取り付けるためのＤカン▲３２▼が取り付けられている。
【００３９】  図４は、図２のファスナーポケット▲１５▼のファスナーを開けた内側に配置した鍵をとりつけるための結合可能な面テープ付き帯状のテープ▲３４▼を示す図である。このテープ▲３４▼は帯状のテープの両端に面ファスナーがついており、テープ▲３４▼を丸めて留められるようになっている。ファスナーポケット▲１５▼の内側に取り付けられたテープ▲３４▼と、テープ▲３４▼の先端部にそれぞれ面テープを取り付けることにより、紛失しがちな鍵の定位置を設け、鍵等の紛失を防ぐことができる。
【００４０】  収容部側面▲６▼−ａの上部には、おまもりやキーホルダーを装着できるサイドＤカン▲３６▼（図３）が取り付けられているとともに、サイド反射材▲３７▼が取り付けられている。このサイド反射板▲３７▼により、全方位に反射材が配置できている。これにより、３６０度全方位から児童の存在を認識できるようになり、交通事故等に遭遇することも減少し、安全性が向上する。
【００４１】  なお、上記実施例では、ナイロン製、ポリエステル製の合成樹脂による生地を使用した場合について説明したが、これらに限定されるものではなく、他の合成樹脂の生地、例えばビニロン製生地を使用するようにしてもよい。
【符号の説明】
【００４２】    １  ランドセル本体
２  かぶせ蓋
２−ａ  かぶせ蓋先端部
２−ｂ  かぶせ蓋基端部
３  かぶせ蓋表地
４  かぶせ蓋裏地
５  バイアステープ
５−ａ  サイドポケットバイアス
６  収容部
６−ａ  収容部側面板
６−ｂ  収容部側面板
６−ｃ  収容部前面板
６−ｄ  収容部背面板
７  ひねり錠
８  前面反射材
９  底板
１０舌状内蓋
１１プリント用内ポケット
１２サイドポケット
１３サイドポケット反射材
１４ブランドタグ
１５  内側ファスナーポケット
１６  ネームポケット
１７  芯材
１８  肩ベルト
１９  側面ポケットファスナー
２０  側面ポケット
２１  外側背面部
２２  ステッチ
２３  肩ベルト外側部
２４  肩ベルト内側部
２５  肩ベルト長さ調節テープ
２６  肩ベルト長さ調節バックル
２７  胸バックルベルト
２８  胸バックル
２９  胸バックル可動域テープ
３０  胸バックル可動域テープ
３１  肩ベルト反射材
３２  Ｄカン
３３  内側ファスナーポケット
３４  鍵取り付け用テープ
３５  持ち手
３６  サイドＤカン
【図１】
0003220959.tif 000003
【図２】
0003220959.tif 000004
【図３】
0003220959.tif 000005
【図４】
0003220959.tif 000006
【図５】
0003220959.tif 000007